(57)【要約】【課題】本発明は、既設の握り押しボタンを含め、そのコード長を簡単に延長できる握り押しボタン用アタッチメントを提供することを課題とする。【解決手段】本発明は、中空ゴム体にエアチューブで連結された連結プラグ内に中空ゴム体の圧縮空気で押される作動ピンを設け、連結プラグに固定される連結キャップを、握り押しボタンの頭部に被せて着脱自在に固定し、中空ゴム体を押圧することにより、圧縮空気で作動する作動ピンで、握りボタンの押しボタンを押圧できるようにしたことを特徴とするものである。【選択図】図１
2007234227.tif 000002
【特許請求の範囲】
【請求項１】
握り押しボタンの頭部に着脱自在に被せて固定できる連結キャップと、前記連結キャップの連結固定される連結プラグと、弾力的な復元力を有する中空ゴム体と、一端を前記連結プラグから突出する空気パイプに、他端を中空ゴム体から突出する空気パイプにそれぞれ気密に接続したエアチューブとを有し、前記連結プラグ内には、前記中空ゴム体を圧縮したとき発生する圧縮空気で押し下げられる作動ピンを設け、圧縮空気で押し下げられた作動ピンで前記握りボタンの頭部から露出する押しボタンを押圧できるようにしたことを特徴とする握り押しボタン用アタッチメント。
【発明の詳細な説明】
【技術分野】
【０００１】
本発明は、握り押しボタン用アタッチメントに係り、特に、既設の握りボタンに装着して使用することのできる握り押しボタン用アタッチメントに関する。
【背景技術】
【０００２】
特許文献１には、握り押しボタンの代表的な２種類の使用例が記載されている。すなわち、第１図には、壁面に設けられたコンセント３６に呼出し握りボタン３３が接続されている。
一般にこの種の握りボタンは直付けタイプとして呼称、あるいは区分される。
また、第４図には、壁面に設置されたコンセント３１に病室用子機（ハンド形子機）が接続され、これに呼出し握りボタン３３が接続されている。
特許文献２には、握り押しボタンの具体構造の１例が示されている。すなわち、筒型のケース（１、４）の先端部に押ボタン１０が収容され、この押ボタン１０を押すことにより、スイッチ回路が閉成される。
【０００３】
【特許文献１】・・・・特開昭６３−３０４７５７号公報
【特許文献２】・・・・特開昭５７−８７０１８号公報
【発明の開示】
【発明が解決しようとする課題】
【０００４】
この種の握り押しボタンは、病院に設置されるナースコールシステムの呼出ボタンとして使用されることが多い。
ところが、病院の形態、あるいは病院内の病棟の相違により、患者のベッド配置を含む病室レイアウトは、各現場毎に多様である。特許文献１に示す、直付け形の握り押しボタンにしろ、ハンド形子機用の握り押しボタンにしろ、そのコード長が現場の使用状況にマッチせず、問題となることがあった。
【０００５】
そこで、従来は、直付けタイプの握り押しボタンの場合には、予め、コード長の異なる何種類かの握り押しボタンを用意し、コード長に問題が生じたら都度交換したりしている。ハンド形子機の握り押しボタンの場合も同様である。
【０００６】
なお、ハンド形子機の握り押しボタンの場合には、交換ではなく、現場あわせで加工することもある。その場合には、握りボタンコードを途中で切断し、別途用意した中継コンセントを使って、所要長のコード付き握りボタンに繋ぎ変えたりすることも多い。
【０００７】
このように、従来の握りボタンは、そのコード長を多様な現場の使用状況に対応させることが困難であるという問題点があった。
【０００８】
本発明は、既設の握り押しボタンを含め、そのコード長を簡単に延長できる握り押しボタン用アタッチメントを提供することを課題とする。
【課題を解決するための手段】
【０００９】
本発明は、中空ゴム体にエアチューブで連結された連結プラグ内に中空ゴム体の圧縮空気で押される作動ピンを設け、連結プラグに固定される連結キャップを、握り押しボタンの頭部に被せて着脱自在に固定し、中空ゴム体を押圧することにより、圧縮空気で作動する作動ピンで、握りボタンの押しボタンを押圧できるようにしたことを特徴とするものである。
【発明の効果】
【００１０】
本発明によれば、握り押しボタンの頭部に、キャップ体を嵌めるだけで、中空ゴム体の押圧力を握り押しボタンに伝えることができるし、エアチューブの長さの調節も容易である。
【発明を実施するための最良の形態】
【００１１】
図１は、本発明の握り押しボタン用アタッチメントを握り押しボタンに装着した例を示す説明図である。
【００１２】
図において、１は握り押しボタンであり、コンセントプラグ２と、コード３と、握り部４とで構成されている。
【００１３】
５は、本発明の握り押しボタン用アタッチメントであり、握り押しボタン１の握り部４に
嵌合装着される連結キャップ６と、この連結キャップ６にネジ止めされる連結プラグ７と、天然ゴムやシリコンゴムなどでできた弾力性のあるエアチューブ８と、自己復元性のある中空ゴム体９とで構成され、エアチューブ８の一端は、中空ゴム体９の臍筒９ａから突出する空気パイプ９ｂに、他端は、連結プラグ７から突出する空気パイプ７ａにそれぞれ弾力的に嵌合させて気密に取り付けてある。
【００１４】
なお、エアチューブ８は、その端部を空気パイプ７ａ、９ｂに弾力的に嵌合させるだけでよいので、長さの異なるチューブと容易に交換できるし、あるいは、チューブが長すぎる場合は、必要な長さに切りそろえてから、嵌めなおしてもよい。
【００１５】
図２は、連結キャップ６を握りボタン１に取り付けた状態を示す一部断面図である。
連結キャップ６は、これを、その周壁６ａ下端から内側に突出する係止部６ｂの弾性に抗して、上方に引っ張ることにより、握り押しボタン１の膨大頭部４ａから取り外すことができる。
【００１６】
外した連結キャップ６は、逆の手順で、再度、握り押しボタン１の膨大頭部１ａに被せて押し下げることにより装着できる。
【００１７】
連結キャップ６の頂壁６ｃには、その中心部にネジ穴６ｄが形成されている。
【００１８】
また、頂壁６ｃの下面には、停止突起６ｅが垂下形成され、握り押しボタン１の膨大頭部４ａの上端面から突出する押しボタン１０と、連結キャップ６の頂壁６ｃの下端面との間に、一定の空間を確保できるようになっている。
【００１９】
連結プラグ７は、中空筒体７ａの上端から空気パイプ７ｂ、下端からネジ筒７ｃを突出させた構造であり、空気パイプ７ｂには、エアチューブ８が気密に嵌められている。
【００２０】
下方に伸びるネジ筒７ｃは、連結キャップ６のネジ穴６ｄにねじ込むことにより、連結キャップ６に固定される。
【００２１】
中空筒体７ａと一体のネジ筒７ｃ内で上下方向に移動できる作動ピン１１は、待ち受け状態では、内部バネ（図示せず）で上方に付勢され、後退位置乃至凹み位置にあり、その先端は、ネジ筒７ｃの下端面とほぼ同一面にある。このようにして、作動ピン１１の下端面と押しボタン１０との間には一定の間隔が保持される。
【００２２】
今、中空ゴム体９を押すと、圧縮空気が発生する。この圧縮空気は、エアチューブ８を介して、作動ピン１１に伝わり、その圧力で、作動ピン１１を押し下げる。
【００２３】
作動ピン１１が押し下げられると、その先端面で、押しボタン１０が押され、呼出スイッチ（図示せず）が作動する。
【００２４】
以上の説明における連結キャップ６は、ワンピースタイプであるが、上部と下部を別ピースで成型し、両ピースを嵌合あるいはネジ手段で連結するツーピースタイプあるいはスリーピースタイプとすることも可能である。
【００２５】
図３は、ハンド形子機の握り押しボタンに握り押しボタン用アタッチメントを装着した実施例を示す。１２は扁平な円筒状をした大型の中空ゴム体であり、比較的重量のある固定板１３に固定されており、足のかかとやひじなど押しやすい構造にしてある。
【００２６】
この中空ゴム体１２は、プラスチックで蛇腹状に成型することもできる。
【００２７】
なお、１４は巻取りリール状の長さ調整手段であり、円板の外周には止め穴１４ａが形成され、この穴にエアチューブ８を嵌めることにより、巻き取り長さを調節できるようになっている。
【図面の簡単な説明】
【００２８】
【図１】本発明の１実施例を示す装着例の説明図である。
【図２】本発明の１実施例を示す連結構造部分の一部断面図。
【図３】本発明の他の実施例を示す時報音データの説明図。
【符号の説明】
【００２９】
１        握り押しボタン
４        握り部
４ａ      膨大頭部
５        握り押しボタン用アタッチメント
６        連結キャップ
６ａ      周壁
６ｂ      係止部
６ｃ      頂壁
６ｄ      ネジ穴
６ｅ      停止突起
７        連結プラグ
７ａ      中空筒体
７ｂ      空気プラグ
７ｃ      ネジ筒
８        エアチューブ
９        中空ゴム体
９ａ      臍筒
９ｂ      空気パイプ
１０        押しボタン
１１        作動ピン
１２        中空ゴム体
１３        固定板
１４        長さ調整手段
【図１】
2007234227.tif 000003
【図２】
2007234227.tif 000004
【図３】
2007234227.tif 000005